(57)【特許請求の範囲】
【請求項１】
車両のフロントウインドの車内側に配置して用いられる車両用サンシェードであって、
前記フロントウインドの形状に整合するように形成され、該フロントウインドを介して車内側に進入する日射に対する遮熱及び断熱のうちいずれか一方又は両方の機能を有する板状の基材と、
前記基材に整合する形状に形成されたシート状の化粧シートと、
前記化粧シートの左右両端近傍にそれぞれ開設された挿通孔と、
前記挿通孔に対応する帯状に形成された固定バンドと、
前記固定バンドを前記基材に取り付けるとともに該固定バンドの一端又は両端が着脱自在とされた取付手段とを備え、
前記化粧シートが前記基材の表面側に対して着脱自在とされており、
前記化粧シートは、左右両側がそれぞれ前記基材の左右両側端を被覆するように折り返されるとともに、該基材の少なくとも表面側に前記挿通孔が位置するように配設され、
前記固定バンドは、前記化粧シートに被覆された状態の前記基材の側端をくるむように該基材の表面側から裏面側にかけて配設されるとともに、該化粧シートの挿通孔に挿通されて両端が前記取付手段により前記基材に取り付けられていることを特徴とする車両用サンシェード。
【請求項２】
前記化粧シートは、左右両側がそれぞれ前記基材の左右両側端を被覆するように折り返されるとともに、該基材の表面側及び裏面側にそれぞれ前記挿通孔が位置するように配設されていることを特徴とする請求項１に記載の車両用サンシェード。
【請求項３】
前記固定バンドは一端又は両端に第一の面ファスナを有して構成され、
前記取付手段は、前記第一の面ファスナに対して着脱自在に接合可能な第二の面ファスナを有して構成されていることを特徴とする請求項１又は２に記載の車両用サンシェード。
【請求項４】
前記第二の面ファスナが帯状に形成されて前記取付手段が構成されており、
前記第一の面ファスナが帯状に形成されて前記固定バンドが構成されており、
帯状に形成された前記第一の面ファスナが前記化粧シートに被覆された状態の前記基材の側端をくるむように該基材の表面側から裏面側にかけて配設され、
前記化粧シートの前記第二の面ファスナが臨む位置に一又は複数の窓孔が開設されており、
前記第一の面ファスナと前記第二の面ファスナとが前記化粧シートの前記窓孔を介して接合されることを特徴とする請求項３に記載の車両用サンシェード。
【請求項５】
前記基材の左右両側端の近傍であって、前記化粧シートの前記挿通孔に対応する位置に表面側から裏面側にかけて貫通する挿通溝が形成されており、
前記第二の面ファスナが前記基材の挿通溝を挿通して両端が結合されることにより、前記取付手段が該基材に対して取り付けられていることを特徴とする請求項４に記載の車両用サンシェード。
【請求項６】
前記化粧シートがターポリンであることを特徴とする請求項１乃至５のうちいずれか一項に記載の車両用サンシェード。
【発明の詳細な説明】
【技術分野】
【０００１】
本発明は、車両用サンシェードに関する。
【背景技術】
【０００２】
従来の車両用サンシェードは、自動車等の車両を屋外に駐車する際に当該車両のフロントウインドの車内側に配置されることで、フロントウインドを介して車内に進入する日射を遮熱あるいは断熱して車内の温度上昇を抑制することができる。
【０００３】
また、このようなサンシェードにおいて、例えば、フロントウインドに整合する外形形状であって板状をなしており、車両内のダッシュボードとサンバイザーやルームミラーとで支持することにより、フロントウインドを介して車内に進入する日射を遮熱あるいは断熱することができるとともに、前面側に図柄や文字情報が印刷されており、フロントウインドを介して外部に表示させることができるものが知られている（例えば、特許文献１参照）。
【先行技術文献】
【特許文献】
【０００４】
【特許文献１】実用新案登録３１０２０５８号公報
【発明の概要】
【発明が解決しようとする課題】
【０００５】
しかしながら、上記特許文献１に記載のサンシェードでは、表面に図柄や文字情報が直接印刷されており、その表示の効果も表示された内容に限定されてしまい、他のコンテンツを表示させる場合には、別の表示内容が印刷されたサンシェードを別途用意しなければならず、多様性に欠けるという問題がある。
【０００６】
本発明は、上記課題に鑑みてなされたものであり、容易に表示内容を変更でき、汎用性に優れ、多様性を高めることができる車両用サンシェードを提供することを目的とするものである。
【課題を解決するための手段】
【０００７】
上記目的を解決するため、請求項１に記載の発明は、車両のフロントウインドの車内側に配置して用いられる車両用サンシェードであって、
前記フロントウインドの形状に整合するように形成され、該フロントウインドを介して車内側に進入する日射に対する遮熱及び断熱のうちいずれか一方又は両方の機能を有する板状の基材と、
前記基材に整合する形状に形成されたシート状の化粧シートと、
前記化粧シートの左右両端近傍にそれぞれ開設された挿通孔と、
前記挿通孔に対応する帯状に形成された固定バンドと、
前記固定バンドを前記基材に取り付けるとともに該固定バンドの一端又は両端が着脱自在とされた取付手段とを備え、
前記化粧シートが前記基材の表面側に対して着脱自在とされており、
前記化粧シートは、左右両側がそれぞれ前記基材の左右両側端を被覆するように折り返されるとともに、該基材の少なくとも表面側に前記挿通孔が位置するように配設され、
前記固定バンドは、前記化粧シートに被覆された状態の前記基材の側端をくるむように該基材の表面側から裏面側にかけて配設されるとともに、該化粧シートの挿通孔に挿通されて両端が前記取付手段により前記基材に取り付けられていることを特徴とする。
【０００９】
請求項２に記載の発明は、請求項１に記載の車両用サンシェードにおいて、
前記化粧シートは、左右両側がそれぞれ前記基材の左右両側端を被覆するように折り返されるとともに、該基材の表面側及び裏面側にそれぞれ前記挿通孔が位置するように配設されていることを特徴とする。
【００１０】
請求項３に記載の発明は、請求項１又は２に記載の車両用サンシェードにおいて、
前記固定バンドは一端又は両端に第一の面ファスナを有して構成され、
前記取付手段は、前記第一の面ファスナに対して着脱自在に接合可能な第二の面ファスナを有して構成されていることを特徴とする。
【００１１】
請求項４に記載の発明は、請求項３に記載の車両用サンシェードにおいて、
前記第二の面ファスナが帯状に形成されて前記取付手段が構成されており、
前記第一の面ファスナが帯状に形成されて前記固定バンドが構成されており、
帯状に形成された前記第一の面ファスナが前記化粧シートに被覆された状態の前記基材の側端をくるむように該基材の表面側から裏面側にかけて配設され、
前記化粧シートの前記第二の面ファスナが臨む位置に一又は複数の窓孔が開設されており、
前記第一の面ファスナと前記第二の面ファスナとが前記化粧シートの前記窓孔を介して接合されることを特徴とする。
【００１２】
請求項５に記載の発明は、請求項４に記載の車両用サンシェードにおいて、
前記基材の左右両側端の近傍であって、前記化粧シートの前記挿通孔に対応する位置に表面側から裏面側にかけて貫通する挿通溝が形成されており、
前記第二の面ファスナが前記基材の挿通溝を挿通して両端が結合されることにより、前記取付手段が該基材に対して取り付けられていることを特徴とする。
【００１３】
請求項６に記載の発明は、請求項１乃至５のうちいずれか一項に記載の車両用サンシェードにおいて、
前記化粧シートがターポリンであることを特徴とする。
【発明の効果】
【００１４】
本発明によれば、容易に表示内容を変更でき、汎用性に優れ、多様性を高めることができる車両用サンシェードを提供する。
【図面の簡単な説明】
【００１５】
【図１】本実施形態に係る自動車用サンシェードを示す図であって、（Ａ）は正面図であり、（Ｂ）は斜視図である。
【図２】自動車用サンシェードの分解斜視図である。
【図３】化粧シートを基材に取り付ける手順について説明する図である。
【図４】自動車用サンシェードの折り畳み要領について説明する図である。
【図５】自動車のフロントウインドに本実施形態の自動車用サンシェードが設置された様子を車外から見た図である。
【図６】自動車のフロントウインドに本実施形態の自動車用サンシェードが設置された様子を車内から見た図である。
【図７】本実施形態に適用可能な面ファスナユニットの変形例について説明する図である。
【発明を実施するための形態】
【００１６】
以下、本発明の実施の形態に係る車両用サンシェードの一例としての自動車用サンシェードについて、図面を参照しながら説明する。ただし、発明の範囲は図示例に限定されない。なお、以下の説明において、同一の機能及び構成を有するものについては、同一の符号を付し、その説明を省略する。また、本実施形態の説明において、左右、表裏、上下とは、使用者が自動車用サンシェード１を表面側から見た状態を基準とした左右、表裏、上下を意味する。
【００１７】
図１及び図２に示すように、自動車用サンシェード１は、基材１００と、基材１００の前面側に取り付けられる化粧シート２００と、化粧シート２００を基材１００に取り付けるための複数の面ファスナユニット３００とを備えて構成されている。
【００１８】
基材１００は、所定の厚みを有し、可撓性を有する発泡性プラスチック系断熱材の両面にそれぞれ遮熱材として機能するアルミシートが蒸着されてなり、左右両側が下方に向けて幅広とされているとともに、下端縁が円弧状に形成されている。これにより、遮熱及び断熱の効果を奏している。なお、基材に適用可能な材料は、上述したものに限定されず、遮熱及び／又は断熱の効果を有する公知の材料のいずれも採用することができる。また、断熱材のみで構成されたものであってもよいし、遮熱材のみで構成されたものであってもよい。また、基材１００の上端縁の中央部分は、方形状の切欠き１０３が形成されており、自動車用サンシェード１が設置される自動車のルームミラーＲＭ（図６参照）による干渉を回避している。すなわち、基材１００の外形形状は、設置する自動車のフロントウインドの形状に整合するように形成されている。
【００１９】
また、基材１００には、４つの切込み１０２ａ〜１０２ｄが適宜の間隔で上下方向に形成されており、これら４つの切込み１０２ａ〜１０２ｄにより、基材１００が５つの部材１０１ａ〜１０１ｅに分割されている。ここで、４つの切込み１０２ａ〜１０２ｄは、基材１００の裏面から表面に向けて形成されるとともに少なくとも表面のアルミシート部分を残すようにして折り曲げ可能とした第１切込み１０２ａ及び第３切込み１０２ｃと、基材１００の表面から裏面に向けて形成されるとともに少なくとも裏面のアルミシート部分を残すようにして折り曲げ可能とした第２切込み１０２ｂ及び第４切込み１０２ｄとにより構成されている。すなわち、４つの切込み１０２ａ〜１０２ｄの切込み方向が交互になっている。そのため、図４（Ｂ）に示すように、基材１００を蛇腹状に折り畳むことができるようになっている。なお、基材１００に切込み１０２ａ〜１０２ｄを設けない態様としてもよい。
【００２０】
また、基材１００の左右両側端縁近傍には、それぞれ挿通溝１０４が側端縁に沿って所定の間隔で５つずつ形成されている。挿通溝１０４は、それぞれ基材１００の表面から裏面にかけて貫通して形成されており、面ファスナユニット３００が挿通可能とされている。なお、挿通溝１０４が形成される間隔は等間隔でなくてもよく、適宜の場所に形成してもよい。また、挿通溝１０４が形成される数（すなわち、後述する面ファスナユニット３００を取り付ける数）は適宜設定可能である。また、面ファスナユニット３００の設置数が左右同数でなくてもよい。
【００２１】
化粧シート２００は、ターポリンからなる可撓性シート材であり、基材１００の外形に略沿った形状をなしているが、左右両側が基材１００よりも延出しており、化粧シート２００の裏面を基材１００の表面に当接させた状態で、図２中破線Ｒで示す位置で基材１００の側方を被覆しながら基材１００の裏面に折り返される。
【００２２】
本実施形態では、化粧シート２００のシート材としてターポリンを使用しているが、ターポリンは、布や織物に塩化ビニル樹脂でコーティングされたシート材であって、物理的強度、耐水性、耐油・耐薬品性、防汚性、耐候性、耐熱性、耐久性に有利である。また、印刷した場合に色褪せし難く、また、発色性に有利であるので、高い装飾効果を持たせることが可能である。本実施形態では、例えば、図１（Ａ）に示すように、化粧シート２００の表面に不動産会社の広告が印刷されており、図５に示すように、化粧シート２００が取り付けられた本実施形態の自動車用サンシェード１を自動車Ｃの車内のフロントウインドに設置することで、当該不動産会社の広告宣伝機能として発揮させることができ、例えば、自動車Ｃによるルート営業において、当該自動車Ｃの駐車中に本実施形態に係る自動車用サンシェード１を用いることで、営業マンが顧客に対して営業を行っている一方で、自動車Ｃによる広告宣伝が可能であり、広告宣伝効果を高めることが可能となる。なお、化粧シート２００に印刷するコンテンツとしては、会社の広告に限らず、例えば、工事作業中である旨の内容を印刷し、工事用車両のフロントウインドに設置することで、通行者等に工事作業が行われていることを注意喚起することも可能である。また、自動車の通行帯の一部を規制して工事作業や事故処理等を行う場合に、車線規制が行われている旨等の内容を印刷して表示し、走行中の自動車の運転手に、例えば、車線変更を促すようにすることも可能である。また、オリンピック・パラリンピックやコンサートといったイベント等の会場へ誘導する内容を印刷して案内表示をすることも可能である。また、使用する者の好みにより、例えば、撮影した画像やイラストを印刷する等して装飾効果を高めるようにすることもできる。なお、化粧シート２００のシート材として、ターポリン以外の材料を用いてもよい。また、本実施形態では、化粧シート２００の表面にのみ印刷を施すようにしたが、裏面にも印刷を施して、場面に応じて化粧シート２００の表裏面のいずれを表面側にするかについて選択して基材１００に取り付けるようにしてもよい。
【００２３】
また、化粧シート２００の中央上端縁には、方形状の切欠き２０１が形成されており、自動車用サンシェード１が設置される自動車のルームミラーＲＭ（図６参照）による干渉を回避している。なお、図１（Ｂ）に示すように、化粧シート２００の切欠き２０１のサイズは、基材１００の切欠き１０３のサイズよりも小さくしているが、化粧シート２００の切欠き２０１と、基材１００の切欠き１０３とで大きさを整合させるようにしてもよい。
【００２４】
また、図２に示すように、化粧シート２００の左右両側端縁近傍であって、基材１００の挿通溝１０４に整合する位置に、それぞれ、一対の長孔２０２，２０３と、この長孔２０２，２０３の間に複数の窓孔２０４が形成されている。
【００２５】
一対の長孔２０２，２０３は、化粧シート２００の側端縁に沿って中心に向かって所定の間隔をあけて化粧シート２００に開設された、上下方向に延在する長孔であり、面ファスナユニット３００がそれぞれ挿通可能とされている。また、長孔２０２，２０３は、化粧シート２００が基材１００に取り付けられ、図２に示すように、化粧シート２００の左右両端における破線Ｒで示す位置で基材１００の側方を被覆しながら基材１００の裏面に折り返されると、化粧シート２００の内側に配置された長孔２０２が基材１００の表面に配置され、化粧シート２００の端部側に配置された長孔２０３が記載１００の裏面に配置される。
【００２６】
また、窓孔２０４は、複数の丸穴が千鳥格子状に配置されてなり、面ファスナユニット３００の基材１００と化粧シート２００との間に配置される第２面ファスナ３０２（図３参照）と、化粧シート２００の表面側に配置されて第２面ファスナ３０２と接合する第１面ファスナ３０１（図３参照）との接合面積を大きくし、接合力を高めている。なお、窓孔２０４の開設数、形状及び開設位置は適宜に設定することができる。
【００２７】
また、本実施形態では、化粧シート２００の左右両側端縁近傍であって、基材１００の挿通溝１０４に整合する位置に、それぞれ、一対の長孔２０２，２０３と、この長孔２０２，２０３の間に複数の窓孔２０４を形成したが、一対の長孔２０２，２０３のみを設け、窓孔２０４が設けられていない態様であってもよい。また、長孔について、基材１００の表面側に配置される長孔２０２のみが形成され、基材１００の裏面側に配置される長孔２０３を設けない構成とされてもよい。この場合、窓孔２０４が設けられた態様であってもよいし、設けられない態様であってもよい。
【００２８】
面ファスナユニット３００は、図３（Ａ）に示すように、帯状に形成された第２面ファスナ３０２と、帯状に形成されて、基端部が第２面ファスナ３０２の基端部に背面合わせで固着されている第３面ファスナ３０３と、帯状に形成されて、基端部が第２面ファスナ３０２の基端部に固着された第１面ファスナ３０１とを備えて構成されている。第３面ファスナ３０３は、第１面ファスナ３０１及び第２面ファスナ３０２よりも短く形成されている。
【００２９】
第２面ファスナ３０２は、被接合面３０２ａが片面に形成されている。被接合面３０２ａは、ループ状に密集して起毛されたループ面により構成されている。第３面ファスナ３０３は、接合面３０３ａが片面に形成されており、第２面ファスナ３０２の被接合面３０２ａとは互いに反対の方向を向いている。第３面ファスナ３０３の接合面３０３ａは、フック状に多数起毛されたフック面により構成されている。第１面ファスナ３０１は、基端部が第２面ファスナ３０２に固着されるとともに、接合面３０１ａが片面に形成されており、第２面ファスナ３０２の被接合面３０２ａと対向するように構成されている。
【００３０】
なお、上記面ファスナユニット３００を構成するこれらの面ファスナは、縫着によって互いに固着されているが、他の手段によって固着されてもよく、例えば、固着部分の少なくとも一部が溶着されて固定されてもよいし、接着剤により接着されてもよい。なお、本実施形態に係る自動車用サンシェード１が設置される車両内部は、特に夏場では高温となる場合があるので、高温となっても固着力が低下しないものが好適である。また、面ファスナユニット３００の構成は上述したものに限らず他の態様によって構成されてもよく、詳しくは後述する。また、フック面とループ面がそれぞれ上述したものとは反対に配置されたものとしてもよいことはいうまでもない。また、フック面とループ面の起毛部分の形状は、それぞれ同様の機能を有していれば、上述したものに限定されない。また、片面にフック面とループ面の両方が形成された面ファスナを用いてもよいし、一の面ファスナの表面及び裏面にそれぞれ起毛処理がされたもの（すなわち、フック面及びループ面のうちいずれか一方又は両方が形成されたもの）を採用してもよい。
【００３１】
以上のようにして構成された面ファスナユニット３００を用いて化粧シート２００を基材１００に取り付ける要領について図３（Ｂ）〜同図（Ｄ）を用いて説明する。ここで、図３（Ｂ）〜同図（Ｄ）は、図１（Ａ）においてＡ−Ａ部分で切断して表した部分断面拡大図であって、化粧シート２００を基材１００に取り付ける手順について説明する図である。なお、本実施形態では、面ファスナユニット３００による固定を１０か所で実施しているが、いずれの個所についても同様の固定方法であるため、以下の説明では１か所についてのみ説明し、他の個所については説明を省略する。
【００３２】
図３（Ｂ）に示すように、面ファスナユニット３００の第３面ファスナ３０３が基材１００の挿通溝１０４に挿入される。このとき、第１面ファスナ３０１及び第２面ファスナ３０２が基材１００の表面側から突出される。
【００３３】
その後、第２面ファスナ３０２で、被接合面３０２ａが露出するように基材１００の側端を被覆するようにして巻き付け、第２面ファスナ３０２の先端部を基材１００の挿通溝１０４の裏面側から挿入し、第３面ファスナ３０３の接合面３０３ａにおける接合部Ｐ´と第２面ファスナ３０２の被接合面３０２ａにおける接合部Ｐとを接合して、面ファスナユニット３００を基材１００に取り付ける。なお、基材１００の表面側又は裏面側で第２面ファスナ３０２を第３面ファスナ３０３に接合させ、その後、摺動回転させながら基材１００の挿通溝１０４内に接合部分を収容するようにしてもよい。
【００３４】
その後、図３（Ｃ）に示すように、基材１００の表面側に化粧シート２００を装着し、化粧シート２００の左右両端を基材１００の側方を被覆しながら折り返す。このとき、面ファスナユニット３００の第１面ファスナ３０１を化粧シート２００の表面側に配置された長孔２０２に挿通させる。
【００３５】
その後、図３（Ｄ）に示すように、面ファスナユニット３００の第１面ファスナ３０１を化粧シート２００とともに基材１００の側方をくるむようにして表面側から裏面側にかけて巻き付ける。このとき、化粧シート２００の窓孔２０４を介して第２面ファスナ３０２の被接合面３０２ａの一部が露出するため、第２面ファスナ３０２の被接合面３０２ａと第１面ファスナ３０１の接合面３０１ａとが接合し、面ファスナユニット３００の保持力を向上させることができる。また、第１面ファスナ３０１の先端を、化粧シート２００の裏面側に配置された長孔２０３から挿通し、さらに基材２００の挿通溝１０４に挿入して、第１面ファスナ３０１の接合面３０１ａにおける接合部Ｑと第２面ファスナ３０２の被接合面３０２ａにおける接合部Ｑ´とを接合する。
【００３６】
以上のようにして、面ファスナユニット３００を用いて１０か所で固定して化粧シート２００を基材１００に取り付けるようにしているが、固定箇所及び固定する数はそれぞれ適宜に設定することができる。また、本実施形態では、基材１００の左右両端縁で化粧シート２００を固定するようにしたが、基材１００の上端縁や下端縁で固定するようにしてもよい。
【００３７】
本実施形態では、上述した構成とされているため、自動車用サンシェード１を折り畳むことができ、例えば、車内にコンパクトに収容して利便性を高めるようにしている。ここで、図４を参照して、本実施形態に係る自動車用サンシェード１の折り畳み要領について説明する。
【００３８】
上述したように、基材１００は、適宜数の切込み１０２ａ〜１０２ｄが形成されており、切込みの向きが交互となっている。すなわち、図４（Ａ）に示すように、基材１００は、切込み１０２ａ〜１０２ｄの切込み残しの部分がそれぞれ回動軸となって、図中矢印（ａ）、矢印（ｂ）、矢印（ｃ）、矢印（ｄ）の順に矢印で示す方向に従って回動させることで、図４（Ｂ）に示すように、各部材１０１ａ〜１０１ｅが蛇腹状に折り畳まれ、コンパクトとなる。このようにして自動車用サンシェード１は、例えば、運転する等、使用しない場合には、上述したようにして折り畳んで、自動車のトランクに収容したり、空いている座席に載置したりすることができ、省スペース化を図ることができる。なお、本実施形態の自動車用サンシェード１は、基材１００が可撓性を有しており、所定の厚みを有しているため、例えば、座席に折り畳んだ自動車用サンシェード１を載置して搭乗者がこの座席に着座しても破損し難く、また、クッション性を有しているため、搭乗者の着座中における負担の軽減にもなる場合がある。
【００３９】
次に、自動車Ｃを駐車して本実施形態に係る自動車用サンシェード１を用いた広告宣伝方法につい、図５及び図６を参照しながら説明する。
【００４０】
先ず、折り畳まれた状態の自動車用サンシェード１を広げ、図６に示すように、基材１００の上端を左右のバイザーＶＬ，ＶＲの支持部に対して突き合わせるとともに、基材１００を前方に撓ませながら、基材１００の下端を自動車ＣのダッシュボードＤＢ上の先端部分に対して突き合わせる。このとき、自動車用サンシェード１に切欠き１０３が形成されているので、ルームミラーＲＭの支持部が干渉しないようになっている。このようにして、自動車用サンシェード１を自動車Ｃに設置することができる。このとき、図５に示すように、化粧シート２００の前面をフロントウインドＦＷの内面に密着させるようにして設置すると、フロントウインドＦＷの鏡面反射による視認性の低下を抑制することができ、必要に応じて、自動車用サンシェード１の背面側から前方に押圧するための押圧部材をダッシュボードＤＢに設置するようにしてもよいし、基材１００の背面に上下方向に延在する板バネ等の付勢部材を適宜の場所に適宜数取り付け、付勢部材の前方への付勢力により自動車用サンシェード１が前方に向けて湾曲して化粧シート２００全体がフロントウインドＦＷに当接するように構成してもよい。本実施形態では、化粧シート２００の材料としてターポリンを使用しているので、発色性がよく、自動車用サンシェード１を自動車Ｃに設置した場合には視認性が良好な広告表示を行うことができ、宣伝効果を高めることができる。また、作業車両に本実施形態に係る自動車用サンシェード１を用いる場合に、化粧シート２００に工事作業中である旨等の表示を行うことで、作業場所周辺を通行する者に効果的に注意喚起を行うことができるようになる。また、化粧シート２００に写真や絵画等を表示することで、装飾効果の向上を図ることもできるようになる。なお、本実施形態では、バイザーＶＬ，ＶＲの支持部に自動車用サンシェード１の上端が押圧されるようにして設置したが、例えば、バイザーＶＬ，ＶＲをそれぞれ回動させて、自動車用サンシェード１の背面にバイザーＶＬ，ＶＲを当接させて自動車用サンシェード１を支持するようにしてもよい。
【００４１】
次に、本実施形態に係る自動車用サンシェード１に適用可能な面ファスナユニットの変形例について、図７を参照しながら説明する。
【００４２】
図７（Ａ）に示す面ファスナユニット４００は、一方の面に被接合面４０２ａを有する第２面ファスナ４０２と、一方の面に接合面４０３ａを有する第３面ファスナ４０３と、一方の面に接合面４０１ａを有する第１面ファスナ４０１とを備えて構成されている。
【００４３】
第２面ファスナ４０２には、被接合面４０２ａの基端部分に第３面ファスナ４０３の接合面４０３ａと接合しており、第３面ファスナ４０３の先端部分が第２面ファスナ４０２の延在方向に突出して配置されている。また、第１面ファスナ４０１は、第３面ファスナ４０３に隣接する位置に配置されて接合面４０１ａの基端部分が第２面ファスナ４０２の被接合面４０２ａに接合している。図７（Ａ）に示す面ファスナユニット４００によれば、固着手段を用いず、面ファスナの接合面と被接合面との接合により構成することができる。この面ファスナユニット４００を基材１００に取り付ける場合には、図３（Ｂ）に示すのと同様の要領で、第２面ファスナ４０２の被接合面４０２ａの先端部分の接合部Ｐと第３面ファスナ４０３の接合面４０３ａの突出部分の接合部Ｐ´とを接合させることで、基材１００に取り付けることができる。
【００４４】
図７（Ｂ）に示す面ファスナユニット５００は、一方の面に被接合面５０２ａを有する第２面ファスナ５０２と、一方の面に接合面５０１ａを有する第１面ファスナ５０１とを備えて構成されており、第３面ファスナを備えていない構成とされている。
【００４５】
第２面ファスナ５０２には、被接合面５０２ａの基端部分に第１面ファスナ５０１の接合面５０１ａと接合しており、第１面ファスナ５０１の基端部分が第２面ファスナ５０２の延在方向に突出して配置されている。図７（Ｂ）に示す面ファスナユニット５００によっても、固着手段を用いず、面ファスナの接合面と被接合面との接合により構成することができ、また、図３や図７（Ａ）に示す面ファスナユニットに比べて、部品点数が少ない。この面ファスナユニット５００を基材１００に取り付ける場合も、図３（Ｂ）に示すのと同様の要領で、第２面ファスナ５０２の被接合面５０２ａの先端部分の接合部Ｐと第１面ファスナ５０１の接合面５０１ａの突出部分の接合部Ｐ´とを接合させることで、基材１００に取り付けることができる。
【００４６】
図７（Ｃ）に示す面ファスナユニット６００は、一方の面に被接合面６０２ａを有し、基端部分では、被接合面６０２ａとは反対側の面に接合面６０２ｂを有する第２面ファスナ６０２と、一方の面に接合面６０１ａを有する第１面ファスナ６０１とを備えて構成されており、この例も第３面ファスナを備えていない構成とされている。
【００４７】
第２面ファスナ６０２には、基端部分に第１面ファスナ６０１の基端部分が上述した固着手段により固着されている。すなわち、第２面ファスナ６０２の接合面６０２ｂの裏側の面に第１面ファスナ６０１の基端部分が固着されている。図７（Ｃ）に示す面ファスナユニット６００によれば、図３や図７（Ａ）に示す面ファスナユニットに比べて、部品点数が少ない。この面ファスナユニット６００を基材１００に取り付ける場合も、図３（Ｂ）に示すのと同様の要領で、第２面ファスナ６０２の被接合面６０２ａの先端部分の接合部Ｐと第２面ファスナ６０２の接合面６０２ｂの端部における接合部Ｐ´とを接合させることで、基材１００に取り付けることができる。
【００４８】
なお、上述したいずれの面ファスナユニットも、接合部Ｐ，Ｐ´が互いに接合することで基材１００に対して着脱自在に構成したが、接合部Ｐ，Ｐ´のいずれか一方が基材１００に対して着脱不能に取り付けられ、他方が基材１００に対して着脱自在に取り付けられる構成とされてもよい。また、面ファスナユニットの形態は、上述したものに限定されず、本実施形態において化粧シート２００を基材１００に固定するための機能を発揮するための構成とされていれば、いずれの形態についても採用することができる。
【００４９】
以上説明したように、本実施形態によれば、自動車ＣのフロントウインドＦＷの車内側に配置して用いられる自動車用サンシェード１が、フロントウインドＦＷの形状に整合するように形成され、該フロントウインドＦＷを介して車内側に進入する日射に対する遮熱及び断熱の機能を有する板状の基材１００と、基材１００に整合する形状に形成されたシート状の化粧シート２００とを備え、化粧シート２００が基材１００の表面側に対して着脱自在とされている。その結果、容易に表示内容を変更でき、汎用性に優れ、多様性を高めることができる車両用サンシェードを提供することができるようになる。
【００５０】
また、本実施形態によれば、化粧シート２００の左右両端近傍に長孔２０２，２０３がそれぞれ設けられている。また、長孔２０２，２０３に対応する帯状に形成された面ファスナユニット３００を備えている。また、面ファスナユニット３００の第２面ファスナ３０２の被接合部３０２ａの先端部分における接合部Ｐが第３面ファスナ３０３の接合部３０３ａにおける接合部Ｐ´とが着脱自在とされているとともに、第１面ファスナ３０１の接合面３０１ａの先端部分の接合部Ｑと第２面ファスナ３０２の被接合面３０２ａにおける接合部Ｑ´とが着脱自在とされている。また、化粧シート２００は、左右両側がそれぞれ基材１００の左右両側端を被覆するように折り返されるとともに、基材１００の表面側にそれぞれ長孔２０２が位置するように配設されている。また、面ファスナユニット３００は、化粧シート２００に被覆された状態の基材１００の側端をくるむように基材１００の表面側から裏面側にかけて巻き付けられるとともに、化粧シート２００の長孔２０２に挿通されて両端が基材１００に対して取り付けられている。その結果、特別な治具等を用いずに、化粧シートを基材に対して簡便に取り付けることができるようになる。
【００５１】
また、本実施形態によれば、化粧シート２００は、左右両側がそれぞれ基材１００の左右両側端を被覆するように折り返されるとともに、基材１００の表面側及び裏面側にそれぞれ長孔２０２，２０３が位置するように配設されている。その結果、固定バンドによる化粧シートの基材に対する固定力が向上し、化粧シートを基材に対してしっかりと固定することができるようになる。
【００５２】
また、本実施形態によれば、面ファスナユニット３００は、第１面ファスナ３０１に接合面３０１ａを有して構成され、第２面ファスナ３０２の被接合面３０２ａに対して着脱自在に接合可能な第３面ファスナ３０３の接合面３０３ａを有している。そのため、面ファスナにより着脱可能に接合可能されているため、より簡便に固定バンドを基材に取り付けることができるようになる。
【００５３】
また、本実施形態によれば、第１面ファスナ３０１と第２面ファスナ３０２とが帯状に形成されて構成されている。帯状に形成された第１面ファスナ３０１が化粧シート２００に被覆された状態の基材１００の側端をくるむように基材１００の表面側から裏面側にかけて巻き付けられるとともに、化粧シート２００の第２面ファスナ３０２の被接合面３０２ａが臨む位置に複数の窓孔２０４が開設されている。第１面ファスナ３０１の接合面３０１ａと第２面ファスナ３０２の被接合面３０２ａとが化粧シート２００の窓孔２０４を介して接合される。その結果、面ファスナで構成された固定バンドの接合点を増加させることができ、保持力を向上させることができる。
【００５４】
また、本実施形態によれば、化粧シート２００がターポリンであるので、耐久性等に優れるとともに、発色性がよく、高い装飾効果を持たせることができるようになる。
【００５５】
なお、本発明の実施の形態に記載された作用および効果は、本発明から生じる最も好適な作用および効果を列挙したに過ぎず、本発明による作用および効果は、本発明の実施の形態に記載されたものに限定されるものではない。
【００５６】
また、本実施形態では、固定バンドとして面ファスナユニットを適用したが、これに限らず、他のものを採用してもよく、例えば、帯状の紐やゴムバンド等を適用してもよい。この場合、例えば、着脱自在な接合手段としてスナップボタンやフック等により係止することで接合手段を実現するようにしてもよい。また、一端が基材に対して固着され、他端が着脱自在に構成されてもよい。
【００５７】
本実施形態では、自動車のフロントウインドに設置した態様を例に説明したが、自動車以外の車両に適用してもよく、例えば、作業車両、重機、バス、あるいは、鉄道等、あらゆる車両に適用することが可能である。
【符号の説明】
【００５８】
１  自動車用サンシェード（車両用サンシェード）
１００  基材
１０４  挿通溝
２００  化粧シート
２０４  窓孔
２０２  長孔（挿通孔）
２０３  長孔（挿通孔）
３００  面ファスナユニット（固定バンド、取付手段）
３０１  第１面ファスナ（第一の面ファスナ、固定バンド）
３０１ａ  接合面
３０２  第２面ファスナ（第二の面ファスナ、取付手段、固定バンド）
３０２ａ  被接合面
Ｃ  自動車（車両）
ＦＷ  フロントウインド
【要約】
【課題】容易に表示内容を変更でき、汎用性に優れ、多様性を高めることができる車両用サンシェードを提供する。
【解決手段】自動車のフロントウインドの車内側に配置して用いられる自動車用サンシェード１が、フロントウインドの形状に整合するように形成され、該フロントウインドを介して車内側に進入する日射に対する遮熱及び断熱の機能を有する板状の基材１００と、基材１００に整合する形状に形成されたシート状の化粧シート２００とを備え、化粧シート２００が基材１００の表面側に対して着脱自在とされている。
【選択図】図１【図１】
0006924466.tif 000002
【図２】
0006924466.tif 000003
【図３】
0006924466.tif 000004
【図４】
0006924466.tif 000005
【図５】
0006924466.tif 000006
【図６】
0006924466.tif 000007
【図７】
0006924466.tif 000008